(57)【要約】【課題】光学ビューファインダと電子ビューファインダを切り換えて使用できるファインダ装置の小型化を図る。【解決手段】ファインダ装置５０は、光学ファインダ光学系と、電子ビューファインダ光学系と、双方の光学系を収容するハウジング５７と、接眼部５１と、双方の光学系のいずれかの光出射側光軸を接眼部５１の光軸に合わせる光軸切り換え部とを備える。電子ビューファインダ光学系は、画像データを表示する表示部５５と、表示画像を接眼部５１に導く光学部材を含むリレーレンズ収納ケース５８ａとを有する。表示部５５はハウジング５７に固設され、光学ファインダ光学系と光学部材は、ハウジング内の接眼部５１と表示部５５との間で一体に保持部材５８に固定される。光軸切り換え部は、保持部材５８を移動させて光学ファインダの位置と電子ビューファインダの位置とのいずれかに切り換える。【選択図】図３
2014057242.tif 000002
【特許請求の範囲】
【請求項１】
被写体像を光学的に観察するための光学ファインダ光学系と、
被写体像の画像データを表示させた表示画像を観察するための電子ビューファインダ光学系と、
前記光学ファインダ光学系及び前記電子ビューファインダ光学系の双方の光学系を収容するハウジングと、
前記ハウジングに設けられ前記双方の光学系に共通して用いる接眼部と、
前記双方の光学系のいずれかの光出射側光軸を前記接眼部の光軸に合わせる光軸切り換え部と、を備え、
前記電子ビューファインダ光学系は、前記画像データを表示する表示部と、該表示部に表示される表示画像を前記接眼部に導くための光学部材とを有し、
前記表示部は、前記ハウジング内で前記接眼部から離間され、且つ前記ハウジングの前記接眼部に対面する位置に固設されており、
前記光学ファインダ光学系と前記光学部材とは、前記ハウジング内の前記接眼部と前記表示部との間で、互いの出射側光軸を平行にして一体に隣接配置させる保持部材に固定され、
前記光軸切り換え部は、前記保持部材を前記光学ファインダ光学系と前記光学部材の並び方向に移動させ、前記接眼部の光軸上に前記光学ファインダ光学系の出射側光軸が配置される第１の位置と、前記接眼部の光軸上に前記光学部材の出射側光軸が配置される第２の位置のいずれかに切り換えるファインダ装置。
【請求項２】
請求項１に記載のファインダ装置であって、
前記第１の位置に配された前記保持部材に対する前記光学ファインダ光学系の入射側光軸と同軸位置に、前記光学ファインダ光学系に前記被写体像の光を導入するための対物レンズを配置するファインダ装置。
【請求項３】
請求項１又は請求項２に記載のファインダ装置であって、
前記光学ファインダ光学系は、プリズムから構成されるファインダ装置。
【請求項４】
請求項３に記載のファインダ装置であって、
前記プリズムは、正立プリズムと、該正立プリズムの出射側光軸に対して入射側光軸をずらす補助プリズムとを含み、
前記保持部材は、前記正立プリズムと前記補助プリズムとを相対位置を不変に固定するファインダ装置。
【請求項５】
請求項４に記載のファインダ装置であって、
前記正立プリズム及び前記補助プリズムは、内部反射が全て全反射となる形状に形成されるファインダ装置。
【請求項６】
請求項１乃至請求項５のいずれか一項に記載のファインダ装置であって、
前記保持部材は、前記光学ファインダ光学系と前記光学部材のそれぞれに対して、光入射面及び光出射面を除く周面を密閉する密閉構造を有するファインダ装置。
【請求項７】
請求項１乃至請求項６のいずれか一項に記載のファインダ装置であって、
前記ハウジングは、該ハウジング内の電気部材に対して配線接続するケーブルの挿通用開口部が穿設され、前記ケーブルが挿通された前記挿通用開口部がシール部材によって閉塞されるファインダ装置。
【請求項８】
請求項７に記載のファインダ装置であって、
前記シール部材は、粘着テープであるファインダ装置。
【請求項９】
撮影レンズと、
前記撮影レンズにより結像される光学像を撮像する撮像素子と、
前記撮像素子から出力される画像データを前記電子ビューファインダ光学系の表示部に表示する請求項１乃至請求項８のいずれか一項に記載のファインダ装置と、
を備えるデジタルカメラ。
【請求項１０】
撮影レンズと、
前記撮影レンズにより結像される光学像を撮像する撮像素子と、
前記撮像素子から出力される画像データを前記電子ビューファインダ光学系の表示部に表示する請求項１乃至請求項８のいずれか一項に記載のファインダ装置と、
を備える携帯端末装置。
【発明の詳細な説明】
【技術分野】
【０００１】
本発明は、ファインダ装置、並びにこれを搭載するデジタルカメラ及び携帯端末装置
に関する。
【背景技術】
【０００２】
カメラに搭載されるファインダ装置には、光学ビューファインダ（ＯＶＦ：Optical View Finder）装置と電子ビューファインダ（ＥＶＦ：Electric View Finder）装置の２種類がある。
【０００３】
ＯＶＦは、被写体の動きをファインダ装置を通してリアルタイムに観察してシャッタを切ることができるため、シャッタチャンスを逃しにくくする利点がある。しかし、ファインダ装置を通した視野と撮影レンズを通した視野とが完全に一致しないため、撮影者の意図とは若干ずれた画角の被写体画像が撮影されてしまうという不利がある。
【０００４】
ＥＶＦは、撮影レンズを通して得た被写体の光像をイメージセンサで電気信号に変換し、この電気信号から再生した被写体画像をファインダ装置の手前に設けた液晶表示装置等の小型ディスプレイに表示する構成となっている。このため、高速移動する被写体をＥＶＦで観察し撮影するとき、シャッタを切った瞬間の被写体画像は、若干、時間遅れのある画像になってしまうという不利がある。しかし、ファインダ装置から覗く視野、即ち小型ディスプレイの表示範囲は、撮影レンズの視野と一致するため、撮影者が意図する画角の被写体画像を撮影できるという利点がある。
【０００５】
このように、ＯＶＦとＥＶＦは一長一短がある。そこで、下記の特許文献１に記載されたカメラでは、ＯＶＦ機能とＥＶＦ機能とを合わせ持つファインダ装置が提案されている。このファインダ装置は、ファインダ装置への入射光像を光軸に対して斜め４５度に置いたハーフミラーで反射させ、ファインダの接眼レンズ側に投射させることでＯＶＦを構成している。また、小型ディスプレイの表示画像を、このハーフミラーを透過させてファインダ装置の接眼レンズ側に投射することでＥＶＦを構成している。
【０００６】
しかし、特許文献１に記載のファインダ装置は、ＯＶＦによる被写体の光像をハーフミラーで反射させるため、ファインダ装置を通して観察する被写体光像の光量が減光してしまい、明るい被写体光像が得られないという不利がある。
【０００７】
下記の特許文献２に記載のデジタルカメラでは、ファインダ装置の接眼部（接眼レンズ）に対面するように離間して小型ディスプレイを配置し、ＥＶＦを構成している。そして、ファインダ装置の対物レンズの背部に第１プリズムを配置し、小型ディスプレイと接眼部との間に第２プリズムを配置することで、ＯＶＦを構成している。即ち、対物レンズからの入射光を、第１プリズム→第２プリズム→接眼部に導くことで、ＯＶＦとして機能させている。ＥＶＦとして機能させるときは、第１プリズム及び第２プリズムを、互いに離間する方向に退避させることで、小型ディスプレイの表示画像を接眼部から覗けるようにしている。
【０００８】
しかし、特許文献２に記載のファインダ装置は、ファインダケース内で２つのプリズムが互いに離間し、或いは接近するように移動させるため、この移動で起きる気流によってケース内の塵埃が舞い上がる虞がある。つまり、塵埃によって、ＯＶＦ光像やＥＶＦ画像の画質を劣化させる虞がある。
【０００９】
下記の特許文献３に記載の一眼レフカメラでは、大型ペンタプリズムの光出射側に設けたＯＶＦ光学系をＥＶＦ光学系に移動切換させることで、ファインダ装置の切り換えを行う構成になっている。このため、カメラの厚みが大きい一眼レフカメラでは採用できるが、近年のようなミラーレス一眼カメラやコンパクトカメラ等の薄型傾向にあるデジタルカメラには適用できない。
【先行技術文献】
【特許文献】
【００１０】
【特許文献１】特開平３―２９２０６７号公報
【特許文献２】特開２００４―１９１９８０号公報
【特許文献３】特開２０１０―１０３７９０号公報
【発明の概要】
【発明が解決しようとする課題】
【００１１】
本発明の目的は、薄型のデジタルカメラに適用可能であり、ファインダ切換時の光学部材の移動によって塵埃等が舞い上がる虞が小さく、光損失が少なく明るいＯＶＦ光像を得ることができるＯＶＦ／ＥＶＦ切換方式のファインダ装置、並びにこれを搭載するデジタルカメラ及び携帯端末装置を提供することにある。
【課題を解決するための手段】
【００１２】
本発明は、下記構成からなる。
（１）  被写体像を光学的に観察するための光学ファインダ光学系と、
被写体像の画像データを表示させた表示画像を観察するための電子ビューファインダ光学系と、
上記光学ファインダ光学系及び上記電子ビューファインダ光学系の双方の光学系を収容するハウジングと、
上記ハウジングに設けられ上記双方の光学系に共通して用いる接眼部と、
上記双方の光学系のいずれかの光出射側光軸を上記接眼部の光軸に合わせる光軸切り換え部と、を備え、
上記電子ビューファインダ光学系は、上記画像データを表示する表示部と、その表示部に表示される表示画像を上記接眼部に導くための光学部材とを有し、
上記表示部は、上記ハウジング内で上記接眼部から離間され、且つ上記ハウジングの上記接眼部に対面する位置に固設されており、
上記光学ファインダ光学系と上記光学部材とは、上記ハウジング内の上記接眼部と上記表示部との間で、互いの出射側光軸を平行にして一体に隣接配置させる保持部材に固定され、
上記光軸切り換え部は、上記保持部材を上記光学ファインダ光学系と上記光学部材の並び方向に移動させ、上記接眼部の光軸上に上記光学ファインダ光学系の出射側光軸が配置される第１の位置と、上記接眼部の光軸上に上記光学部材の出射側光軸が配置される第２の位置のいずれかに切り換えるファインダ装置。
（２）  撮影レンズと、
上記撮影レンズにより結像される光学像を撮像する撮像素子と、
上記撮像素子から出力される画像データを上記電子ビューファインダ光学系の表示部に表示する（１）のファインダ装置と、
を備えるデジタルカメラ。
（３）  撮影レンズと、
上記撮影レンズにより結像される光学像を撮像する撮像素子と、
上記撮像素子から出力される画像データを上記電子ビューファインダ光学系の表示部に表示する（１）のファインダ装置と、
を備える携帯端末装置。
【発明の効果】
【００１３】
本発明によれば、小型且つ光量損失が極めて小さなＯＶＦ／ＥＶＦ切換方式のファインダ装置を構成できる。
【図面の簡単な説明】
【００１４】
【図１】本発明の実施形態を説明するための図で、デジタルカメラの外観斜視図である。
【図２】図１に示すデジタルカメラの機能ブロック図である。
【図３】ファインダ装置の上壁部を削除した一部断面上面図である。
【図４】保持部材をＥＶＦ位置にしたときのファインダ装置内部の斜視図である。
【図５】保持部材をＯＶＦ位置にしたときのファインダ装置内部の斜視図である。
【図６】ファインダ装置をデジタルカメラの背面側から見た外観斜視図である。
【図７】（Ａ）は一般的な双眼鏡で用いられるプリズムの光路を比較のために示す説明図、（Ｂ）は本構成のファインダ装置に採用したプリズムの光路の説明図である。
【図８】ファインダ装置を備えたスマートフォンの外観図である。
【図９】図８のスマートフォンの機能ブロック図である。
【発明を実施するための形態】
【００１５】
以下、本発明の実施形態について、図面を参照して詳細に説明する。
図１は本発明の実施形態を説明するための図で、デジタルカメラの外観斜視図である。このデジタルカメラ１０は、カメラ筐体１１の正面側に、撮影レンズ１２を収納するレンズ鏡筒１３が沈胴可能に取り付けられている。カメラ筐体１１の上面肩部にはシャッタレリーズボタン１４が設けられ、カメラ筐体１１の背面側には液晶表示部（図２の表示部２８）が設けられている。また、カメラ筐体１１の正面側の上部には、フラッシュ発光部２５が設けられている。
【００１６】
このカメラ筐体１１のレンズ鏡筒１３の上部には、ファインダ装置５０が内蔵されている。ファインダ装置５０には、接眼レンズを収納する接眼部５１が、カメラ筐体１１の背面側上部に接続されている。また、ファインダ装置５０には、対物レンズを収納する対物レンズ収納部６２が、カメラ筐体１１の正面側の上部中央における、撮影レンズ１２に近接した位置に接続されている。つまり、ファインダ装置５０は、対物レンズ収納部６２に入射する入射側光軸と、接眼部５１からユーザの目に入る出射側光軸とが、互いにずれた構成になっている。
【００１７】
図中、Ｘ方向は撮影レンズ１２の光軸に垂直なデジタルカメラ１０の水平幅方向、Ｙ方向は撮影レンズ１２の光軸方向に平行なデジタルカメラ１０の奥行き方向、Ｚ方向はデジタルカメラ１０の底面からの高さ方向を示している。これらＸ，Ｙ，Ｘ方向は互いに直交する方向となっている。また、デジタルカメラ１０の被写体側を正面側、ユーザが覗く接眼部５１側を背面側と称する。
【００１８】
図２は図１に示すデジタルカメラの機能ブロック図である。ここで例示するデジタルカメラ１０は、被写体を撮影して静止画像或いは動画像のデジタル画像データを取得するものである。このデジタルカメラ１０は、撮影レンズ１２と、固体撮像素子２１と、ＡＦＥ（アナログフロントエンド）２２と、アナログデジタル変換部（Ａ／Ｄ）２３と、駆動制御部（タイミングジェネレータを含む）２４と、フラッシュ発光部２５とを備える。
【００１９】
固体撮像素子２１は、撮影レンズ１２の背部における、撮影レンズ１２の結像面に配置され、例えばＣＭＯＳ(Complementary Metal Oxide Semiconductor)イメージセンサやＣＣＤ(Charge-Coupled Device)イメージセンサ等の撮像素子である。
【００２０】
ＡＦＥ２２は、固体撮像素子２１から出力されるアナログの画像データを自動利得調整（ＡＧＣ）や相関二重サンプリング処理等のアナログ処理する。
【００２１】
アナログデジタル変換部（Ａ／Ｄ）２３は、ＡＦＥ２２から出力されるアナログ画像データをデジタル画像データに変換する。
【００２２】
駆動部２４は、後述のシステム制御部２９からの指示によってＡ／Ｄ２３，ＡＦＥ２２，固体撮像素子２１，撮影レンズ１２の駆動制御を行う。
【００２３】
フラッシュ発光部２５は、ＣＰＵ２９からの指示によって発光する。
【００２４】
また、本構成のデジタルカメラ１０は更に、デジタル信号処理部２６と、圧縮／伸長処理部２７と、表示部２８と、デジタルカメラ全体を統括制御するシステム制御部（ＣＰＵ）２９と、フレームメモリ等の内部メモリ３０と、メディアインタフェース（Ｉ／Ｆ）部３１と、これらを相互に接続するバス４０とを備える。システム制御部２９には、ユーザからの指示入力を行う操作部３３が接続されている。
【００２５】
デジタル信号処理部２６は、Ａ／Ｄ２３から出力されるデジタル画像データを取り込み、補間処理やホワイトバランス補正，ＲＧＢ／ＹＣ変換処理等を行う。
【００２６】
圧縮／伸長処理部２７は、画像データをＪＰＥＧ形式等の画像データに圧縮したり逆に伸長したりする。
【００２７】
表示部２８は、メニュー等の情報の表示や、スルー画像、撮像画像を表示する。
【００２８】
メディアインタフェース（Ｉ／Ｆ）部３１は、フレームメモリ等の内部メモリ３０と、ＪＰＥＧ画像データ等を格納する記録メディア３２との間のインターフェース処理を行う。
【００２９】
上記構成のデジタルカメラ１０は、光学ビューファインダ（ＯＶＦ）機能と電子ビューファインダ（ＥＶＦ）の機能とを併せ持つファインダ装置５０を内蔵する。ファインダ装置５０は、詳細を後述するように、ＯＶＦとＥＶＦとを切換駆動する切換モータ５３を搭載し、駆動部２４からの制御信号により切換モータ５３は正転／逆転駆動される。また、ファインダ装置５０は、切換モータ５３により駆動されたときのＯＶＦ位置／ＥＶＦ位置を検出する切換検出センサ５４を備え、切換検出センサ５４の検出信号はＣＰＵ２９に入力される。ＥＶＦ時の観察画像を映出する表示部としてのＥＶＦ用ディスプレイ５５は、バス４０に接続されて、固体撮像素子２１から出力される被写体像の画像データを表示する。
【００３０】
図３はファインダ装置５０の上面図であって、ハウジング５７の上面壁を削除し、ハウジング５７内部を可視状態とした一部断面上面図である。ファインダ装置５０は、密閉可能且つ中空に形成されたハウジング５７と、ハウジング５７内に収納された保持部材５８とを備える。保持部材５８は、ハウジング５７内にＸ方向へ移動自在に設けてある。
【００３１】
図４は、図３に示すファインダ装置５０の内部の斜視図である。図４では、保持部材５８のうち、プリズム収納ケース５８ｂの上面壁を削除し、ＥＶＦ用ディスプレイ５５と対物レンズ収納部６２とを省略して示している。
【００３２】
図３，図４に示すように、ハウジング５７は、Ｘ方向を長手の方向とする概ね直方体形状を成し、長手方向の略中央部の背面側に接眼レンズを有する接眼部５１を配置している。ハウジング５７の接眼部５１と対面する正面側の部位には、ＥＶＦ用ディスプレイ５５が、表示面を接眼部５１に向けて配置されている。ＥＶＦ用ディスプレイ５５は、バックライト付き液晶表示器や、有機ＥＬ素子等の自発光型の表示器等、公知の表示装置が利用可能である。
【００３３】
ハウジング５７の正面側におけるＥＶＦ用ディスプレイ５５の側方には、対物レンズを収納した対物レンズ収納部６２が配置されている。この対物レンズ収納部６２におけるハウジング５７接続側とは反対側の収納部先端が、図１に示す入射窓５２となっている。ファインダ装置５０の対物レンズは、撮影レンズ１２がズームレンズの場合にはそのズーム倍率に応じた倍率に可変調整される。
【００３４】
ハウジング５７内の接眼部５１とＥＶＦ用ディスプレイ５５との間の空間には、保持部材５８が配置される。
【００３５】
保持部材５８は、ＥＶＦ用ディスプレイ５５の表示画像を接眼部５１に導くための光学部材であるリレーレンズ５９（図４参照）が収容され、筒状のリレーレンズ収納ケース５８ａと、プリズム６５，６６が収容されるプリズム収納ケース５８ｂを有する。保持部材５８は、ハウジング５７の底部にＸ方向に敷設された２本のレール６１，６１に懸架され、レール６１，６１に沿った移動が可能になっている。
【００３６】
また、ハウジング５７の底部には、保持部材５８を移動させる駆動源としての切換モータ５３が設けられている。切換モータ５３のモータ軸にはピニオンギア５６が取り付けられ、このピニオンギア５６と噛合するラックギアを有するラック部６０が保持部材５８の下側に固設されている。ラックギアは、ラック部６０の保持部材５８の移動方向に形成されており、切換モータ５３の駆動によって、保持部材５８をレール６１，６１に沿って移動させる。
【００３７】
これにより、保持部材５８は、図３，図４に示すように、接眼部５１の対面位置にリレーレンズ収納ケース５８ａが配置されるＥＶＦ位置（第２の位置）と、接眼部５１の対面位置にプリズム収納ケース５８ｂの一部が配置されるＯＶＦ位置（第１の位置）との間を移動自在となる。これら切換モータ５３、ピニオンギア５６、ラック部６０、レール６１，６１は、互いに協働して、光学ファインダ光学系と電子ビューファインダ光学系のいずれかの出射側光軸を、接眼部５１の光軸に合わせる光軸切り換え部として機能する。
【００３８】
プリズム収納ケース５８ｂは、本構成においては、２つのプリズム６５，６６が、双方の相対位置が不変となるように固定設置される。プリズム６５，６６は、保持部材５８がＯＶＦ位置に移動した状態で、入射窓５２から入射され対物レンズ収納部６２内に導入された被写体光を接眼部５１から出射するように導光する。
【００３９】
ハウジング５７の底部には、敷設された２本のレール６１，６１の間に、保持部材５８がＥＶＦ位置に到達したことを検出する切換検出センサ５４Ａ、ＯＶＦ位置に到達したことを検出する切換検出センサ５４Ｂがそれぞれ設けられている。切換検出センサ５４Ａ，５４Ｂは、フォトインタラプタ等の光学式センサを用いることができ、その他にも、磁界、電界、電磁波、超音波等を媒体とする位置検出センサとしてもよい。
【００４０】
次に、上記構成のファインダ装置５０の動作について説明する。
図３，図４に示す保持部材５８がＥＶＦ位置に配置された状態で、ユーザからのＯＶＦ位置への切換指示が図２に示す操作部３３から入力されると、ＣＰＵ２９は、駆動部２４から切換モータ５３に正転駆動信号を出力させる。切換モータ５３は正転駆動信号を受けて正転駆動を開始する。切換モータ５３の回転駆動力がピニオンギア５６を介してラック部６０に伝達されると、保持部材５８は、レール６１，６１上を図５に示すＯＶＦ位置に向けて移動する。
【００４１】
そして、保持部材５８がＯＶＦ位置に到達したことを切換検出センサ５４Ｂが検出すると、切換検出センサ５４ＢはＣＰＵ２９に検出信号を出力する。ＣＰＵ２９は切換検出センサ５４Ｂからの検出信号を受けて、切換モータ５３の駆動を停止させる駆動停止信号を駆動部２４に出力する。駆動停止信号を受けた駆動部２４は切換モータ５３の駆動を停止させ、保持部材５８を図５に示すＯＶＦ位置に固定する。
【００４２】
すると、プリズム収納ケース５８ｂの光入射窓６４は、対物レンズ収納部６２（図３参照）の光出射面に対面する。被写体から入射窓５２の対物レンズを通して入射される被写体光は、プリズム６６の光入射面に入射する。この入射光は、プリズム６５，６６を反射しながら導光され、接眼部５１から出射される。これにより、ユーザは、接眼部５１から被写体のＯＶＦ光像を見ることが可能となる。
【００４３】
また、図５に示す保持部材５８がＯＶＦ位置に配置された状態で、ユーザからのＥＶＦ位置への切換指示が操作部３３から入力されると、ＣＰＵ２９は、駆動部２４から切換モータ５３に逆転駆動信号を出力させる。切換モータ５３は逆転駆動信号を受けて逆転駆動を開始する。切換モータ５３の回転駆動力がピニオンギア５６を介してラック部６０に伝達されると、保持部材５８は、レール６１，６１上を図４に示すＥＶＦ位置に向けて移動する。これにより、リレーレンズ５９の位置が接眼部５１の光軸Ｌから外れる。
【００４４】
そして、保持部材５８がＥＶＦ位置に到達したことを切換検出センサ５４Ａが検出すると、切換検出センサ５４ＡはＣＰＵ２９に検出信号を出力する。ＣＰＵ２９は切換検出センサ５４Ａからの検出信号を受けて、切換モータ５３の駆動を停止させる駆動停止信号を駆動部２４に出力する。駆動停止信号を受けた駆動部２４は切換モータ５３の駆動を停止させ、保持部材５８をＥＶＦ位置に固定する。これにより、ユーザは、リレーレンズ５９を通して図３に示すＥＶＦ用ディスプレイ５５の表示画像を見ることができる。
【００４５】
上記のように、本構成によれば、保持部材５８はリレーレンズ収納ケース５８ａとプリズム収納ケース５８ｂを保持し、これらが一体となってレール６１，６１に沿って移動する。このため、例えばＥＶＦ用ディスプレイ５５と共に保持部材５８が移動する場合と比較して、可動部となる保持部材５８が軽量化され、ファインダ切換動作を高速に行える。また、ＥＶＦ用ディスプレイ５５の移動代分のスペースが不要となり、省スペース化できる。さらに、切換モータ５３等の駆動力が少なくて済み、駆動機構の小型化、省電力化も達成できる。そして、保持部材５８の移動の際、切換検出センサ５４Ａ，５４Ｂを用いることで切換モータ５３の駆動を瞬時に停止でき、駆動制御の応答性が高められる。
【００４６】
ＥＶＦ用ディスプレイ５５には、図２に示す固体撮像素子２１の撮像画像、即ち、撮影レンズ１２を通して撮像された被写体の画像データの表示画像が表示され、ユーザは、実際の撮像画像と同じ画角の画像をファインダ装置５０で確認できる。勿論、デジタルカメラ１０の背面側に設けた表示部２８でも同様の被写体画像を確認可能である。
【００４７】
なお、ＯＶＦ位置、ＥＶＦ位置のいずれでも、デジタルカメラ１０の接眼部５１をユーザの目の位置に当てることで、デジタルカメラ１０に生じる手振れを軽減できる。
【００４８】
次に、保持部材５８の防塵構造について説明する。
図６は、ファインダ装置５０をデジタルカメラの背面側から見た外観斜視図である。ファインダ装置５０のハウジング５７は、その内部空間を密閉状態とするように形成される。ハウジング５７は、外部に対する開口孔として、接眼部５１と、対物レンズ収納部６２（図１参照）と、内蔵されるＥＶＦ用ディスプレイ５５（図３参照）に接続されるフラットケーブル６７を挿入する開口部６９と、切換モータ５３に接続される駆動部２４からのフラットケーブル６８を挿入する開口部７０との４つの開口部が存在する。
【００４９】
接眼部５１の開口部は、内部の接眼レンズ８１によって閉塞され、対物レンズ収納部６２の開口部は、内部の対物レンズによって閉塞される。一方、ハウジング５７の開口部としては、ハウジング５７内の電気部材に対して配線接続するフラットケーブル６７，６８が挿入される挿通用開口部が、開口されたままの状態となる。そこで、挿通用開口部からハウジング５７の内部に塵埃等が侵入しないように、これら２つの挿通用開口部を、フラットケーブルの挿入後に防塵用の粘着テープ８３，８４で塞いでおく。これにより、ハウジング５７の内部空間は密閉状態に保たれ、ファインダ装置５０内に塵埃が進入することなく常に清浄に保たれる。
【００５０】
本構成によれば、シール部材として粘着テープ８３，８４を用いることで、簡単な貼着作業で済み、製品の組立工数を軽減できる。なお、シール部材は、粘着テープ８３，８４の他にも接着剤層を形成して挿通用開口部を閉塞する構成等であってもよく、各種公知のシール部材を使用できる。
【００５１】
また、ハウジング５７内に収納されるリレーレンズ収納ケース５８ａ、プリズム収納ケース５８ｂもそれぞれ密閉状態に保たれる。リレーレンズ収納ケース５８ａは、リレーレンズ５９の光入射面及び光出射面を除く周囲が覆われた密閉構造を有する。プリズム収納ケース５８ｂの開口部は、光入射窓６４と、接眼部５１に対面する図示省略の光出射窓の２つが存在するが、光入射窓６４はプリズム６５の一面で閉塞され、光出射窓はプリズム６６の一面で閉塞される。即ち、プリズム収納ケース５８ｂは、光入射面及び光出射面を除く周面が覆われた密閉構造を有している。このため、リレーレンズ収納ケース５８ａ、プリズム収納ケース８５ｂの内部空間は、それぞれ密閉状態に保たれる。
【００５２】
上記構造とすることで、被写体光学像の光路となるプリズム６５，６６は、ハウジング５７とプリズム収納ケース５８ｂとの二重の閉塞空間で覆われる。このため、プリズム６５，６６が清浄に保たれて経年劣化が少なくなり、ファインダ装置５０を通して綺麗な光学像を安定して見ることが可能となる。
【００５３】
次に、ファインダ装置５０で用いるプリズム６５，６６について詳細に説明する。
図７（Ａ）、（Ｂ）はプリズムの光路を説明する説明図であって、（Ａ）は一般的な双眼鏡で用いられるプリズムの光路を比較のために示す説明図、（Ｂ）は本構成のファインダ装置５０で用いるプリズムの光路の説明図である。
【００５４】
まず、一般的な双眼鏡で用いられるプリズムについて図７（Ａ）を用いて説明する。図示しない対物レンズ光学系を透過した被写体光７１は、上下反転，左右反転した倒立鏡像となる光線である。そのため、この光線をプリズム７２，７３に光線を通して倒立鏡像を正立像に戻してからユーザの目に入射させる必要がある。図７（Ａ）は、良く知られたペシャン（Pechan）プリズムであり、シュミット(schmidt)プリズム（ダハ(Dach）プリズム）７３と、補助プリズム（ペシャンプリズム）７２で構成される。
【００５５】
ダハプリズム７３は、ダハ面７３ａで２回全反射し、他の２面で１回づつ全反射することで、合計４回反射し、倒立鏡像の入射光を正立像に戻す正立プリズムである。ダハプリズム７３からの出射光７４の光軸を、被写体光７１の光軸と略同軸にするために補助プリズム７２が用いられる。この補助プリズム７２は被写体光７１を２回反射させるが、反射面７３ａへの入射角が小さくなるため、反射面７３ａでの反射は全反射にはならない。そこで、反射面７３ａには金属反射膜を被膜して金属反射面とする。しかし、金属反射膜による反射は、全反射よりも反射率が低いため、光損失が発生してしまう不利がある。
【００５６】
図７（Ｂ）は、本構成で用いるプリズム６５，６６の組み合わせと、その光路を示している。プリズム６６は、ダハ面６６ａを持つダハプリズムであり、正立プリズムである。これに組み合わせる補助プリズムとして、本構成では、上面視（図７（Ｂ）の紙面垂直方向に見た場合）で二等辺三角形状、又は二等辺三角形に近い形状のプリズム６５を用いている。そして、プリズム６５の光入射面６５ａから倒立鏡像となっている入射光を入射させ、プリズム６５の傾斜面６５ｂに対して僅かに離間させ、隙間７７を有して配置したダハプリズム６６に倒立鏡像の入射光を出射させる構成となっている。
【００５７】
補助プリズム６５は、ファインダ装置５０への入射側光軸７８を、接眼部５１からの出射側光軸７９からずらすために設けたプリズムであり、上面視で二等辺三角形状とすることができる。このため、補助プリズム６５での２回の反射は、夫々の反射面６５ｂ，６５ｃへの入射角を全反射可能に大きく設計でき、光損失を無くして明るい光像をユーザの目に届けることが可能となる。
【００５８】
本構成のように、補助プリズム６５とダハプリズム６６５とを、相互の相対位置を不変にプリズム収納ケース５８ｂへ固定することで、プリズム６５の光入射面６５ａとプリズム６６の光出射面６６ｂとを平行に、且つ光入射面６５ａと光出射面６６ｂとの間の距離を小さく設計可能となる。よって、薄型カメラに容易に搭載できるファインダ装置５０を構成できる。
【００５９】
本構成のファインダ装置５０では、上述したように、入射側光軸７８を出射側光軸７９に対して大きくずらすことができる。このため、ファインダ装置５０の接眼部５１の位置をカメラ背面側の見易い位置、例えばカメラ上方の肩部付近に設けても、入射窓５２（図１参照）を撮影レンズ１２に近接配置させることができる。その結果、パララックスを小さくできる。
【００６０】
また、ＯＶＦ／ＥＶＦ切換時に移動させる部材を、保持部材５８及びその内蔵物の一体化された部材のみとしたため、移動のために必要となる退避空間を小さくでき、ファインダ装置５０を小型化できる。また、移動する部材に配線等を接続する必要がないため、装置の信頼性が向上する。
【００６１】
以上、撮影装置の一例としてデジタルカメラを説明してきたが、撮像装置の構成はこれに限定されない。その他の撮像装置としては、例えば、ＰＣ（Personal Computer）内蔵型又は外付け型のＰＣ用カメラ、或いは、以下に説明するような、撮影機能を有する携帯端末装置を挙げることができる。
【００６２】
撮像装置の一例である携帯端末装置としては、例えば、携帯電話機やスマートフォン、ＰＤＡ(Personal Digital Assistants)、携帯型ゲーム機が挙げられる。以下、スマートフォンを例に挙げ、図面を参照しつつ、詳細に説明する。
【００６３】
図８はファインダ装置を備えたスマートフォン２００を示す外観図である。スマートフォン２００は、平板状の筐体２０１を有し、筐体２０１の一方の面に表示部としての表示パネル２０２と、入力部としての操作パネル２０３とが一体となった表示入力部２０４を備えている。また、筐体２０１は、スピーカ２０５と、マイクロホン２０６、操作部２０７と、カメラ部２０８とを備えている。
【００６４】
スマートフォン２００のカメラ部２０８に搭載される撮影レンズとしては、図示例では自分撮り用（テレビ電話用）の撮影レンズを示しているが、主カメラの撮影レンズが、スマートフォン２００の背面側（図中下面側）に設けられている。この主カメラで被写体を撮影する場合、表示パネル２０２に被写体画像を表示させて被写体構図を確認してもよいが、図１〜図６で説明したファインダ装置５０をスマートフォン２００の筐体２０１内に設け、前述の接眼部５１を通して被写体の構図を確認できるようにしてもよい。本構成のファインダ装置５０は薄型に形成できるため、携帯端末装置にも容易に搭載可能である。なお、ファインダ装置５０の機能は上述した通りであり、ここではその説明を省略する。
【００６５】
また、筐体２０１の構成はこれに限定されず、例えば、表示部と入力部とが独立した構成を採用したり、筐体が折り畳み機構やスライド機構を有する構成を採用することもできる。
【００６６】
図９は図８に示すスマートフォン２００の構成を示す機能ブロック図である。スマートフォン２００は、その主たる構成要素として、無線通信部２１０と、表示入力部２０４と、通話部２１１と、操作部２０７と、カメラ部２０８と、記憶部２１２と、外部入出力部２１３と、ＧＰＳ(Global Positioning System)受信部２１４と、モーションセンサ部２１５と、電源部２１６と、主制御部２２０と、ＥＶＦ用ディスプレイ５５とを備える。また、スマートフォン２００の主たる機能として、図示省略の基地局装置と移動通信網とを介した移動無線通信を行う無線通信機能を備える。
【００６７】
無線通信部２１０は、主制御部２２０の指示にしたがって、移動通信網に収容された基地局装置に対し無線通信を行うものである。この無線通信を使用して、音声データ、画像データ等の各種ファイルデータ、電子メールデータ等の送受信や、Ｗｅｂデータやストリーミングデータ等の受信を行う。
【００６８】
表示入力部２０４は、主制御部２２０の制御により、画像（静止画像および動画像）や文字情報等を表示して視覚的にユーザに情報を伝達すると共に、表示した情報に対するユーザ操作を検出する、いわゆるタッチパネルであって、表示パネル２０２と、操作パネル２０３とを備える。
【００６９】
表示パネル２０２は、ＬＣＤ(Liquid Crystal Display)、ＯＥＬＤ(Organic Electro-Luminescence Display)等を表示デバイスとして用いたものである。操作パネル２０３は、表示パネル２０２の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部２２０に出力する。次いで、主制御部２２０は、受信した検出信号に基づいて、表示パネル２０２上の操作位置（座標）を検出する。
【００７０】
図８に示すように、撮影装置として例示しているスマートフォン２００の表示パネル２０２と操作パネル２０３とは、一体となって表示入力部２０４を構成し、操作パネル２０３が表示パネル２０２を完全に覆うような配置となっている。この配置形態の場合、操作パネル２０３は、表示パネル２０２外の領域についても、ユーザ操作を検出する機能を備えていてもよい。換言すると、操作パネル２０３は、表示パネル２０２との重畳部分についての検出領域（以下、表示領域と称する）と、それ以外の表示パネル２０２に重ならない外縁部分についての検出領域（以下、非表示領域と称する）とを備えていてもよい。
【００７１】
なお、表示領域の大きさと表示パネル２０２の大きさとを完全に一致させても良いが、両者を必ずしも一致させる必要はない。また、操作パネル２０３が、外縁部分と、外縁部分以外の内側部分の２つの感応領域を備えていてもよい。更に、外縁部分の幅は、筐体２０１の大きさ等に応じて適宜設計されるものである。更にまた、操作パネル２０３で採用される位置検出方式としては、マトリクススイッチ方式、抵抗膜方式、表面弾性波方式、赤外線方式、電磁誘導方式、静電容量方式等が挙げられ、いずれの方式を採用することもできる。
【００７２】
通話部２１１は、スピーカ２０５やマイクロホン２０６を備え、マイクロホン２０６を通じて入力されたユーザの音声を主制御部２２０にて処理可能な音声データに変換して主制御部２２０に出力したり、無線通信部２１０或いは外部入出力部２１３により受信された音声データを復号してスピーカ２０５から出力したりするものである。また、図８に示すように、例えば、スピーカ２０５を表示入力部２０４が設けられた面と同じ面に搭載し、マイクロホン２０６を筐体２０１の側面に搭載することができる。
【００７３】
操作部２０７は、キースイッチ等を用いたハードウェアキーであって、ユーザからの指示を受け付けるものである。例えば、図８に示すように、操作部２０７は、スマートフォン２００の筐体２０１の側面に搭載され、指等で押下されるとオンとなり、指を離すとバネ等の復元力によってオフ状態となる押しボタン式のスイッチである。
【００７４】
記憶部２１２は、主制御部２２０の制御プログラムや制御データ、アプリケーションソフトウェア、通信相手の名称や電話番号等を対応づけたアドレスデータ、送受信した電子メールのデータ、ＷｅｂブラウジングによりダウンロードしたＷｅｂデータや、ダウンロードしたコンテンツデータを記憶し、またストリーミングデータ等を一時的に記憶するものである。また、記憶部２１２は、スマートフォン内蔵の内部記憶部２１７と着脱自在な外部メモリスロットを有する外部記憶部２１８により構成される。なお、記憶部２１２を構成するそれぞれの内部記憶部２１７と外部記憶部２１８は、フラッシュメモリタイプ（flash memory type）、ハードディスクタイプ（hard disk type）、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）等の格納媒体を用いて実現される。
【００７５】
外部入出力部２１３は、スマートフォン２００に連結される全ての外部機器とのインターフェースの役割を果たすものであり、他の外部機器に通信等（例えば、ユニバーサルシリアルバス（ＵＳＢ）、ＩＥＥＥ１３９４等）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ（登録商標））、ＵＷＢ（Ultra Wideband）（登録商標）、ジグビー（ZigBee）（登録商標）等）により直接的又は間接的に接続するためのものである。
【００７６】
スマートフォン２００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホン等がある。外部入出力部２１３は、このような外部機器から伝送を受けたデータをスマートフォン２００の内部の各構成要素に伝達することや、スマートフォン２００の内部のデータが外部機器に伝送されるようにすることができる。
【００７７】
ＧＰＳ受信部２１４は、主制御部２２０の指示にしたがって、ＧＰＳ衛星ＳＴ１、ＳＴ２、・・・ＳＴｎから送信されるＧＰＳ信号を受信し、受信した複数のＧＰＳ信号に基づく測位演算処理を実行し、そのスマートフォン２００の緯度、経度、高度からなる位置を検出する。ＧＰＳ受信部２１４は、無線通信部２１０や外部入出力部２１３（例えば、無線ＬＡＮ）から位置情報を取得できるときには、その位置情報を用いて位置を検出することもできる。
【００７８】
モーションセンサ部２１５は、例えば、３軸の加速度センサ等を備え、主制御部２２０の指示にしたがって、スマートフォン２００の物理的な動きを検出する。スマートフォン２００の物理的な動きを検出することにより、スマートフォン２００の動く方向や加速度が検出される。この検出結果は、主制御部２２０に出力されるものである。
【００７９】
電源部２１６は、主制御部２２０の指示にしたがって、スマートフォン２００の各部に、バッテリ（図示しない）に蓄えられる電力を供給するものである。
【００８０】
主制御部２２０は、マイクロプロセッサを備え、記憶部２１２が記憶する制御プログラムや制御データにしたがって動作し、スマートフォン２００の各部を統括して制御するものである。また、主制御部２２０は、無線通信部２１０を通じて、音声通信やデータ通信を行うために、通信系の各部を制御する移動通信制御機能と、アプリケーション処理機能を備える。
【００８１】
アプリケーション処理機能は、記憶部２１２が記憶するアプリケーションソフトウェアにしたがって主制御部２２０が動作することにより実現するものである。アプリケーション処理機能としては、例えば、外部入出力部２１３を制御して対向機器とデータ通信を行う赤外線通信機能や、電子メールの送受信を行う電子メール機能、Ｗｅｂページを閲覧するＷｅｂブラウジング機能等がある。
【００８２】
また、主制御部２２０は、受信データやダウンロードしたストリーミングデータ等の画像データ（静止画像や動画像のデータ）に基づいて、映像を表示入力部２０４に表示する等の画像処理機能を備える。画像処理機能とは、主制御部２２０が、上記画像データを復号し、この復号結果に画像処理を施して、画像を表示入力部２０４に表示する機能のことをいう。
【００８３】
更に、主制御部２２０は、表示パネル２０２に対する表示制御と、操作部２０７、操作パネル２０３を通じたユーザ操作を検出する操作検出制御を実行する。表示制御の実行により、主制御部２２０は、アプリケーションソフトウェアを起動するためのアイコンや、スクロールバー等のソフトウェアキーを表示する。或いは電子メールを作成するためのウィンドウを表示する。なお、スクロールバーとは、表示パネル２０２の表示領域に収まりきれない大きな画像等について、画像の表示部分を移動する指示を受け付けるためのソフトウェアキーのことをいう。
【００８４】
また、操作検出制御の実行により、主制御部２２０は、操作部２０７を通じたユーザ操作を検出したり、操作パネル２０３を通じて、上記アイコンに対する操作や、上記ウィンドウの入力欄に対する文字列の入力を受け付けたり、或いは、スクロールバーを通じた表示画像のスクロール要求を受け付ける。
【００８５】
更に、操作検出制御の実行により主制御部２２０は、操作パネル２０３に対する操作位置が、表示パネル２０２との重畳部分（表示領域）か、それ以外の表示パネル２０２に重ならない外縁部分（非表示領域）かを判定し、操作パネル２０３の感応領域や、ソフトウェアキーの表示位置を制御するタッチパネル制御機能を備える。
【００８６】
また、主制御部２２０は、操作パネル２０３に対するジェスチャ操作を検出し、検出したジェスチャ操作に応じて、予め設定された機能を実行することもできる。ジェスチャ操作とは、従来の単純なタッチ操作ではなく、指等によって軌跡を描いたり、複数の位置を同時に指定したり、或いはこれらを組み合わせて、複数の位置から少なくとも１つについて軌跡を描く操作を意味する。
【００８７】
カメラ部２０８は、ＣＭＯＳイメージセンサやＣＣＤイメージセンサ等の撮像素子を用いて電子撮影するデジタルカメラである。また、カメラ部２０８は、主制御部２２０の制御により、撮像によって得た画像データを例えばＪＰＥＧ(Joint Photographic coding Experts Group)等の圧縮した画像データに変換し、記憶部２１２に記録したり、外部入出力部２１３や無線通信部２１０を通じて出力することができる。
【００８８】
また、カメラ部２０８はスマートフォン２００の各種機能に利用することができる。例えば、表示パネル２０２にカメラ部２０８で取得した画像を表示することや、操作パネル２０３の操作入力の一つとして、カメラ部２０８の画像を利用することができる。また、ＧＰＳ受信部２１４が位置を検出する際に、カメラ部２０８からの画像を参照して位置を検出することもできる。更には、カメラ部２０８からの画像を参照して、３軸の加速度センサを用いずに、或いは、３軸の加速度センサと併用して、スマートフォン２００のカメラ部２０８の光軸方向を判断することや、現在の使用環境を判断することもできる。勿論、カメラ部２０８からの画像をアプリケーションソフトウェア内で利用することもできる。
【００８９】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等を付加して記憶部２１２に記憶させたり、外部入出力部２１３や無線通信部２１０を通じて出力したりすることもできる。
【００９０】
以上述べたファインダ装置及びこれを搭載したデジタルカメラによれば、ＯＶＦ／ＥＶＦ切換時に移動させる部材を必要最小限の部材だけとしたため、移動部材の退避スペースを小スペースとすることができ、ファインダ装置の小型化が実現可能となる。また、ＥＶＦ用ディスプレイを固定して移動させない構成としたため、ＥＶＦ用ディスプレイへの電気接続の信頼性が向上し、装置全体の信頼性がアップする。
【００９１】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００９２】
以上の通り、本明細書には次の事項が開示されている。
（１）  被写体像を光学的に観察するための光学ファインダ光学系と、
被写体像の画像データを表示させた表示画像を観察するための電子ビューファインダ光学系と、
上記光学ファインダ光学系及び上記電子ビューファインダ光学系の双方の光学系を収容するハウジングと、
上記ハウジングに設けられ上記双方の光学系に共通して用いる接眼部と、
上記双方の光学系のいずれかの光出射側光軸を上記接眼部の光軸に合わせる光軸切り換え部と、を備え、
上記電子ビューファインダ光学系は、上記画像データを表示する表示部と、その表示部に表示される表示画像を上記接眼部に導くための光学部材とを有し、
上記表示部は、上記ハウジング内で上記接眼部から離間され、且つ上記ハウジングの上記接眼部に対面する位置に固設されており、
上記光学ファインダ光学系と上記光学部材とは、上記ハウジング内の上記接眼部と上記表示部との間で、互いの出射側光軸を平行にして一体に隣接配置させる保持部材に固定され、
上記光軸切り換え部は、上記保持部材を上記光学ファインダ光学系と上記光学部材の並び方向に移動させ、上記接眼部の光軸上に上記光学ファインダ光学系の出射側光軸が配置される第１の位置と、上記接眼部の光軸上に上記光学部材の出射側光軸が配置される第２の位置のいずれかに切り換えるファインダ装置。
（２）  （１）のファインダ装置であって、
上記第１の位置に配された上記保持部材に対する上記光学ファインダ光学系の入射側光軸と同軸位置に、上記光学ファインダ光学系に上記被写体像の光を導入するための対物レンズを配置するファインダ装置。
（３）  （１）又は（２）のファインダ装置であって、
上記光学ファインダ光学系は、プリズムから構成されるファインダ装置。
（４）  （３）のファインダ装置であって、
上記プリズムは、正立プリズムと、その正立プリズムの出射側光軸に対して入射側光軸をずらす補助プリズムとを含み、
上記保持部材は、上記正立プリズムと上記補助プリズムとを相対位置を不変に固定するファインダ装置。
（５）  （４）のファインダ装置であって、
上記正立プリズム及び上記補助プリズムは、内部反射が全て全反射となる形状に形成されるファインダ装置。
（６）  （１）乃至（５）のいずれか一つのファインダ装置であって、
上記保持部材は、上記光学ファインダ光学系と上記光学部材のそれぞれに対して、光入射面及び光出射面を除く周面を密閉する密閉構造を有するファインダ装置。
（７）  （１）乃至（６）のいずれか一つのファインダ装置であって、
上記ハウジングは、そのハウジング内の電気部材に対して配線接続するケーブルの挿通用開口部が穿設され、上記ケーブルが挿通された上記挿通用開口部がシール部材によって閉塞されるファインダ装置。
（８）  （７）のファインダ装置であって、
上記シール部材は、粘着テープであるファインダ装置。
（９）  撮影レンズと、
上記撮影レンズにより結像される光学像を撮像する撮像素子と、
上記撮像素子から出力される画像データを上記電子ビューファインダ光学系の表示部に表示する（１）乃至（８）のいずれか一つのファインダ装置と、
を備えるデジタルカメラ。
（１０）  撮影レンズと、
上記撮影レンズにより結像される光学像を撮像する撮像素子と、
上記撮像素子から出力される画像データを上記電子ビューファインダ光学系の表示部に表示する（１）乃至（８）のいずれか一つのファインダ装置と、
を備える携帯端末装置。
【産業上の利用可能性】
【００９３】
本発明に係るファインダ装置は、ＯＶＦ機能とＥＶＦ機能とを切り換えて使用でき、且つ小型，薄型の装置筐体内にも装備できるため、デジタルカメラやカメラ付携帯電話機等の携帯端末装置に適用すると有用である。
【符号の説明】
【００９４】
１０  デジタルカメラ
１２  撮影レンズ
５０  ファインダ装置
５１  接眼部
５２  ファインダ装置の入射窓
５３  切換モータ
５６  ピニオンギア
５４，５４Ａ，５４Ｂ  切換位置検出センサ
５５  ＥＶＦ用ディスプレイ
５７  ハウジング
５８  保持部材
５８ａ  リレーレンズ収納ケース
５８ｂ  プリズム収納ケース
６４  光射窓
６０  ラック部
６１  レール
６２  対物レンズ収納部
６５  ダハプリズム
６６  補助プリズム
６７，６８  フラットケーブル
７７  プリズム間の隙間
２００  スマートフォン（携帯端末装置）
【図１】
2014057242.tif 000003
【図２】
2014057242.tif 000004
【図３】
2014057242.tif 000005
【図４】
2014057242.tif 000006
【図５】
2014057242.tif 000007
【図６】
2014057242.tif 000008
【図７】
2014057242.tif 000009
【図８】
2014057242.tif 000010
【図９】
2014057242.tif 000011